(57)【要約】【課題】  部品点数が少なく、チャタリングや接触不良を完全に防止することができ、小型で高ストローク化が可能な高ストロークスイッチを得ることを目的とする。【解決手段】  金属製可動接点を備えた高ストロークドームスイッチにおいて、可動接点が、基板方向に押圧される皿バネである中央ドーム部と、ドーム部の外周縁にほぼ均等間隔に設けられた２つ以上の連結部と、これら連結部の各々から前記ドーム部の中心に対して放射状に延長して配された２つ以上の脚部とを備え、２つ以上の脚部は各々前記ドーム部から外方向に向かう板バネであり、記中央ドーム部の反転によりクリック感を操作者に与えることと同期して前記固定接点に接するスイッチ接点部を前記中央ドーム部に備えるものである。【選択図】      図１
2009266394.tif 000002
【特許請求の範囲】
【請求項１】
固定接点とコモン接点とを備えたスイッチ基板と、該スイッチ基板上に配される金属製可動接点とを備えた高ストロークドームスイッチにおいて、
前記金属製可動接点が、
前記スイッチ基板に向かって押圧される、外周縁部がスイッチ基板側へ湾曲した皿バネ形状の中央ドーム部と、
前記ドーム部の外周縁にほぼ均等間隔に設けられた２つ以上の連結部と、
これら２つ以上の連結部の各々から前記ドーム部の中心に対して放射状に延在する２つ以上の脚部とを備え、
前記２つ以上の脚部は、各々前記ドーム部から前記スイッチ基板に向かう傾斜した勾配を有し、前記ドーム部をスイッチ基板に向かって押圧した際に脚部の先端方向に向かうに従って次第に勾配が緩やかになる板バネであり、
前記中央ドーム部の反転によりクリック感を操作者に与えることと同期して前記固定接点に接するスイッチ接点部を前記中央ドーム部に備えたことを特徴とする高ストロークドームスイッチ。
【請求項２】
前記２つ以上の脚部の各々の端部に外方に向かって脚部の傾斜に対して更にスイッチ基板に向かって勾配を急にして形成された袴部を更に備えたことを特徴とする請求項１に記載の高ストロークドームスイッチ。
【請求項３】
前記２つ以上の脚部が、中央部分に屈曲部を備え、該屈曲部から脚部先端に向かってスイッチ基板に対してほぼ平行又は平行に近い緩やかな勾配を有することを特徴とする請求項１又は２に記載の高ストロークドームスイッチ。
【請求項４】
前記連結部の直下のスイッチ基板に溝が形成されていることを特徴とする請求項１〜３の何れかに記載の高ストロークドームスイッチ。
【発明の詳細な説明】
【技術分野】
【０００１】
本発明は、深い押し込みストロークを備えた高ストロークドームスイッチに関するものである。
【背景技術】
【０００２】
自動車に搭載されているカーオーディオの押しボタンスイッチやエアコンの押しボタンスイッチ等としては、大きなストロークとクリック感を備えているスイッチが選択される。これは、運転中にカーオーディオの押しボタンやエアコンの押しボタンを操作する際に、運転に集中している運転手は、スイッチを入れる場合に、そのオンの状態又はオフの状態を視覚で確認できないことが多々あり、スイッチに触れた指先の感覚のみで確認する。
【０００３】
そのため、自動車に搭載されている機器の操作スイッチはどれも必要以上に大きなストロークと、クリック感を出す工夫が行われている。例えば、弾性を備えた板金から製造され、ドーム形状に湾曲した中央部と、この中央部の周りに、周方向に互いに間隔をあけて設けられた複数の脚部とを備え、脚部の周縁部に、ブリッジ部の切断片が残存しているダイヤフラムからなるキースイッチが提案されている（例えば、特許文献１参照）。
【特許文献１】特開２００５−３３２６６４号公報
【発明の開示】
【発明が解決しようとする課題】
【０００４】
特許文献１のものは、部品点数が少なく、各部品は単純な構造のためコストが低く、スイッチ全体の高さが低い割りにストロークが大きい等の利点がある反面、ドームと脚部との接続部に応力が集中して高寿命化が難しい、脚部の先端がストロークとともに外側に動くために基板を削って磨耗粉が出る等の問題があった。
【０００５】
車載電子機器で運転中に操作する機器では、更に大きなストロークとクリック感が求められている。特許文献１において、更により大きなストロークを達成するためには、ドーム高さ自体をより高くする必要があるが、ドームを皿バネとして反転させるスイッチにおいては、ドーム高さに限界があり、これを超えると、反転したまま復帰しなくなる問題がある。
【０００６】
即ち、ドーム高さの限界値は板厚の２倍程度であるといわれる。一般的なドーム状の接点では、例えば、直径が４ｍｍのドームで、板厚が０．０５ｍｍの場合には、ドーム高さが０．１５ｍｍ程度になってしまい、０．３mm以上の高ストロークでの高寿命の接点は得られない。特許文献１では、４本の脚を設けて、０．６ｍｍの高ストローク化したものである。この場合、４本の脚部をドームの曲面に沿って下方に向かうほど脚部の勾配を大きくして、幅広で短尺の橋脚のようにしたため、脚部は剛体に近い性質を有している。
【０００７】
本発明は、より大きなストロークを達成すると共に、操作者に指先で確認可能なクリック感を与えることが可能な高ストロークドームスイッチを得ることを目的とする。
【課題を解決するための手段】
【０００８】
請求項１に記載された発明に係る高ストロークドームスイッチは、固定接点とコモン接点とを備えたスイッチ基板と、該スイッチ基板上に配される金属製可動接点とを備えた高ストロークドームスイッチにおいて、
前記金属製可動接点が、
前記スイッチ基板に向かって押圧される、外周縁部がスイッチ基板側へ湾曲した皿バネ形状の中央ドーム部と、
前記ドーム部の外周縁にほぼ均等間隔に設けられた２つ以上の連結部と、
これら２つ以上の連結部の各々から前記ドーム部の中心に対して放射状に延在する２つ以上の脚部とを備え、
前記２つ以上の脚部は、各々前記ドーム部から前記スイッチ基板に向かう傾斜した勾配を有し、前記ドーム部をスイッチ基板に向かって押圧した際に脚部の先端方向に向かうに従って次第に勾配が緩やかになる板バネであり、
前記中央ドーム部の反転によりクリック感を操作者に与えることと同期して前記固定接点に接するスイッチ接点部を前記中央ドーム部に備えたことを特徴とするものである。
【０００９】
請求項２に記載された発明に係る高ストロークドームスイッチは、請求項１に記載の２つ以上の脚部の各々の端部に外方に向かって脚部の傾斜に対して更にスイッチ基板に向かって勾配を急にして形成された袴部を更に備えたことを特徴とするものである。
【００１０】
請求項３に記載された発明に係る高ストロークドームスイッチは、請求項２に記載の２つ以上の脚部が、中央部分に屈曲部を備え、該屈曲部から脚部先端に向かってスイッチ基板に対してほぼ平行又は平行に近い緩やかな勾配を有することを特徴とするものである。
【００１１】
請求項４に記載された発明に係る高ストロークドームスイッチは、請求項１〜３の何れかに記載の連結部の直下のスイッチ基板に溝が形成されていることを特徴とするものである。
【発明の効果】
【００１２】
本発明は、より大きなストロークを達成すると共に、操作者に指先で確認可能なクリック感を与えることが可能なスイッチを得ることができるという効果がある。
【発明を実施するための最良の形態】
【００１３】
本発明においては、固定接点とコモン接点とを備えたスイッチ基板と、該スイッチ基板上に配される金属製可動接点とを備えた高ストロークドームスイッチにおいて、
前記金属製可動接点が、前記スイッチ基板に向かって押圧される、外周縁部がスイッチ基板側へ湾曲した皿バネ形状の中央ドーム部と、前記ドーム部の外周縁にほぼ均等間隔に設けられた２つ以上の連結部と、これら２つ以上の連結部の各々から前記ドーム部の中心に対して放射状に延在する２つ以上の脚部とを備え、
前記２つ以上の脚部は、各々前記ドーム部から前記スイッチ基板に向かう傾斜した勾配を有し、前記ドーム部をスイッチ基板に向かって押圧した際に脚部の先端方向に向かうに従って次第に勾配が緩やかになる板バネであり、
前記中央ドーム部の反転によりクリック感を操作者に与えることと同期して前記固定接点に接するスイッチ接点部を前記中央ドーム部に備えるため、より大きなストロークを達成すると共に、操作者に指先で確認可能なクリック感を与えることが可能なスイッチを得ることができる。
【００１４】
即ち、本発明の高ストロークドームスイッチの接触機構は、スイッチ基板と可動接点とだけで構成されるため、部品点数が少なく、可動接点は、中央ドームと２つ以上の連結と２つ以上の脚部とが、それぞれ別の機能を備えるため、小型で高ストローク化が可能になる。
【００１５】
中央ドーム部は円周縁部が下方に湾曲した皿バネであり、２つ以上の連結部はドーム部の外周縁にほぼ均等間隔に設けられ、２つ以上の脚部は連結部の各々からドーム部の中心に対して放射状に延在する２つ以上の脚部とを備え、この２つ以上の脚部は、各々前記ドーム部から外方向に向かう板バネである。このため、脚部によって小型で高ストローク化が可能となる。
【００１６】
脚部及び連結部の数はドーム部の外周縁にほぼ均等間隔に設けられればよい。例えば、ドーム部の中心を通る対向位置に２つ設けてもよく、中心角度を１２０度とした３つ、中心角度を９０度とした４つ等が挙げられる。
【００１７】
脚部の長さは、長くするほど高ストローク化が可能となる。更に、脚部がスイッチ基板に接する箇所にコモン接点を設置することにより、スイッチ接点部が接する際に中央ドーム部の反転が起こった場合に、皿バネの反転の衝撃が長い脚部によって緩和されるため、チャッタリングが生じ難くなるという特性も有する。そのためには、脚部は中央ドーム部の反転が起こった場合に各反転の衝撃を緩和する長さや幅であればよい。中央ドーム部の大きさによってその脚部の長さや幅が決定されるが、例えば、板厚が０．０５から０．０６ｍｍのバネ材料において、中央ドーム部の直径が３〜４ｍｍ程度であれば脚部の長さは２〜４ｍｍ程度、幅を０．８〜１．２ｍｍ程度とすることにより、チャッタリングが生じ難くなる。
【００１８】
尚、２つ以上の脚部は、ドーム部を押し下げたとき、各々前記ドーム部から外方向に向かうに従って次第に下向き勾配が緩やかとなる板バネとすることにより、中央ドーム部を押し下げた際にスイッチ基板面に沿って滑りながら撓むため、基板面を削って磨耗粉が出ることが少ない利点や皿バネの反転による衝撃でのチャッタリングが生じ難くなる利点もある。
【００１９】
基板の固定接点に接するスイッチ接点部としては、中央ドーム部の反転によりクリック感を操作者に与えることと同期して前記固定接点に接するものであればよく、中央ドーム部の反転によって、反転されたドーム部の中央と接触するように中央ドーム部の中心の直下のスイッチ基板上に固定接点を配置する。尚、コモン接点は、固定接点に中央ドーム部の反転クリック前か同時に可動接点に接触していればよい。例えば、脚部先端部、脚部中央部、連結部、中央ドーム部の円周縁等が挙げられる。
【００２０】
また、好ましくは、２つ以上の脚部の各々の端部に外方に向かって脚部の傾斜に対して更に下向きに傾斜して形成された袴部を更に備える。これにより、スイッチケース内での可動接点の保持が安定し、誤動作を低減させることができる。また、スイッチ接点部が固定接点に接触する場合にスイッチの押圧感が増すことにより、スイッチ回路が繋がった状態が操作者に伝えられ、良好な操作感を得ることができる。
【００２１】
更に、スイッチケース内壁に袴部が当接されるようにすれば、袴部と脚部との曲折部がバネ支点として働き、このバネの反発力が連結部にかかり、皿バネであるドーム部の反転を復元する力として働く。これにより、ドーム部が反転したまま復帰しなくなることを防ぐことができる。
【００２２】
また、２つ以上の脚部が、中央部分に屈曲部を備え、該屈曲部から脚部先端に向かってスイッチ基板に対してほぼ平行又は平行に近い緩やかな勾配を有することによって、先端部が基板を削る傷害を低減し、かつ、ドーム反転を復元する力を強める効果が期待できる。
【００２３】
更に、本発明の別の好ましい態様としては、連結部の直下のスイッチ基板に溝が形成されたものである。皿バネである中央ドーム部の反転速度は非常に速く、ドーム部の反転と共に脚部とドーム部との境界である連結部はドーム部反転の衝撃力を受け止めて吸収して振動する。このため連結部の直下のスイッチ基板に溝が形成されていることにより、皿バネである中央ドーム部の反転と共に連結部が振動してスイッチ基板に当たることが無くなり、互いに強打する連結部とスイッチ基板との疲労が低減することになる。
【００２４】
しかしながら、溝によって連結部がスイッチ基板に強打しなくなるため、連結部の動きは振動となり脚部へ伝動するデメリットもあるが、脚部はスイッチ基板面に滑りながら撓んで脚部のほぼ全面がスイッチ基板面に接するため、チャッタリングや接触不良は起こし難い。
【実施例】
【００２５】
図１は本発明の高ストロークドームスイッチを構成する可動接点の一実施例の構成を示す平面図である。図２は図１の正面図である。図３は図１のＡ−Ａ断面図である。図４は図１の可動接点を備えた高ストロークドームスイッチの構成を示す説明図である。図５は図１の高ストロークドームスイッチの可動接点の変形の状態を示す説明図である。
【００２６】
図に示す通り、本実施例の可動接点１０は、中央ドーム部１１と、ドーム部１１の中心を通る直径線上に配された一対の連結部１２と、これら一対の連結部１２の各々から直径線上の外方へ延在する一対の脚部１３とを備える。尚、脚部１３は本実施例では一対としたが、ドーム部の外周縁に均等間隔に設けてもよい。例えば、ドーム中心に対して、１２０度間隔で３本や９０度間隔で４本備えても良い。
【００２７】
中央ドーム部１１は伏せた皿のように円周縁部が下方に湾曲して皿バネを形成し、一対の脚部１３は、ドーム部を押し下げたとき、各々ドーム部１１から外方向に向かうに従って次第に下向き勾配が緩やかとなる外形の板バネとなる。これにより、中央ドーム部１１を押し下げた際にスイッチ基板２３面に沿って滑りながら撓むため、基板２３面を削って磨耗粉が出ることが少ない利点や中央ドーム部１１の反転による衝撃でのチャッタリングが生じ難くなる利点もある。
【００２８】
図４に示す通り、可動接点１０は、スイッチボックス２１の筐体内に配置され、スイッチボックス２１に配置された可動接点１０の中央ドーム部１１を押圧する押圧ボタン２２によって押圧されるように構成されることにより高ストロークドームスイッチ２０を構成する。
【００２９】
スイッチボックス２１の床面のスイッチ基板２３の予め定められた位置には、コモン接点２４と、固定接点２５とが配置されている。図５のａ図に示す通り、脚部１３の一方の端縁部はコモン接点２４と接触するコモン用接点部１４となる。連結部１２の直下のスイッチ基板２３に溝２６が形成されている。これにより、皿バネである中央ドーム部１１の反転と共に連結部１２がスイッチ基板２３に当たって発生する衝撃が無くなり、互いに強打する連結部１２とスイッチ基板２３との疲労が低減することになる。
【００３０】
図５のｂ図は中央ドーム部１１を上から少し押し下げた状態を示す。このｂ図に示す通り、板バネとなる脚部１３の両方の端縁部は先端方向に滑りながら撓み、更に、図５のｃ図は中央ドーム部１１の周囲がスイッチ基板２３に接した状態を示す。
【００３１】
図５のｄ図は中央ドーム部１１を更に押し下げた状態を示す。このｄ図に示す通り、第２ストローク分押圧した際に中央ドーム部１１の皿バネが反転して大きなクリック感と共に固定接点２５に中央ドーム部１１に配されたスイッチ接点部１５が接する。これにより、コモン接点２４と固定接点２５とが電気的に導通することにより、回路が形成される。
【００３２】
尚、本実施例では、コモン接点２４の位置は、図１に示す通り、脚部１３の先端部の直下に配置しているが、別の態様として、図１に示す通り、中央ドーム部１１の円周縁部の一部と接するコモン接点２４’や脚部の中央部と接するコモン接点２４”として配置しても良い。
【００３３】
図６は本発明の高ストロークドームスイッチを構成する可動接点の別の実施例の構成を示す平面図であり、図７は図６の正面図である。図８は図６の可動接点を備えた高ストロークドームスイッチの構成を示す説明図である。
【００３４】
図に示す通り、本実施例の可動接点３０は、中央ドーム部３１と、ドーム部３１の中心を通る直径線上に配された一対の連結部３２と、これら一対の連結部３２の各々から直径線上の外方へ延在する一対の脚部３３とを備える。一対の脚部３３の各々の端部には、外方に向かって脚部３３の傾斜に対して更に下向きに傾斜して形成された袴部３３ａを更に備える。
【００３５】
尚、脚部３３及び袴部３３ａは本実施例では一対としたが、隣接した袴部３３ａが重なり合わない限り、ドーム部の外周縁に均等間隔に設けてもよい。隣接した袴部３３ａが重なり合うと、スムーズな動きができないためである。例えば、ドーム中心に対して、１２０度間隔で３本や９０度間隔で４本備えても良い。
【００３６】
中央ドーム部３１は伏せた皿のように円周縁部が下方に湾曲して皿バネを形成し、一対の脚部３３は、ドーム部を押し下げたとき、各々ドーム部３１から外方向に向かうに従って次第に下向き勾配が緩やかとなる外形の板バネとなる。
【００３７】
図８に示す通り、可動接点３０は、スイッチボックス４１の筐体内に配置され、スイッチボックス４１に配置された可動接点３０の中央ドーム部３１を押圧する押圧ボタン４２によって押圧されるように構成されることにより高ストロークドームスイッチ４０を構成する。
【００３８】
スイッチボックス４１の床面のスイッチ基板４３の予め定められた位置には、コモン接点４４と、固定接点４５とが配置されている。脚部３３の一方の端縁部はコモン接点４４と接触するコモン用接点部となる。固定接点４５は中央ドーム部３１の中央部に配されている。連結部３２の直下のスイッチ基板４３に溝４６が形成されている。これにより、皿バネである中央ドーム部３１の反転と共に連結部３２がスイッチ基板４３に当たって発生する衝撃が無くなり、互いに強打する連結部３２とスイッチ基板４３との疲労が低減することになる。
【００３９】
押圧ボタン４２により中央ドーム部３１を上から少し押し下げた状態では、板バネとなる脚部３３の両端縁部は先端方向に滑りながら撓むため、基板４３面を削って磨耗粉が出ることが少ない利点や中央ドーム部３１の反転による衝撃でのチャッタリングが生じ難くなる利点もある。
【００４０】
以降の本実施例の動作は図１に示した実施例の動作と同様に、中央ドーム部３１を更に押し下げた状態では、中央ドーム部３１の皿バネが反転して大きなクリック感と共に固定接点４５に中央ドーム部３１に配されたスイッチ接点部３５が接する。コモン接点４４と固定接点４５とが電気的に導通することにより、回路が形成される。
【００４１】
尚、中央ドーム部３１が反転する前に、スイッチボックス４１の側壁に袴部３３ａが当たって、更に中央ドーム部３１を押し下げた際に中央ドーム部３１が反転するようにスイッチボックス４１と脚部３３及び袴部３３ａの長さを定めておくと、脚部３３及び袴部３３ａとの境界の撓みが板バネとなって、ドーム部３１の反転を復帰する力をドーム部３１に与えることになり、ドーム部３１が反転したまま復帰しなくなることを防ぐことができる。
【００４２】
また、本実施例では、コモン接点４４の位置は、図６に示す通り、脚部３３の先端部の直下に配置しているが、別の態様として、図６に示す通り、中央ドーム部３１の円周縁部の一部と接するコモン接点４４’や脚部の中央部と接するコモン接点４４”として配置しても良い。
【００４３】
図９は本発明の高ストロークドームスイッチを構成する可動接点の別の実施例の構成を示す平面図である。図１０は図９の正面図である。
【００４４】
図に示す通り、本実施例の可動接点５０は、図１，図６に示した可動接点と同様に、中央ドーム部５１と、ドーム部５１の中心を通る直径線上に配された一対の連結部５２と、これら一対の連結部５２の各々から直径線上の外方へ延在する一対の脚部５３とを備える。一対の脚部５３の各々の端部には、外方に向かって脚部５３の傾斜に対して更に下向きに傾斜して形成された袴部５３ａを更に備える。
【００４５】
尚、脚部５３及び袴部５３ａは本実施例では一対としたが、隣接した袴部５３ａが重なり合わない限り、ドーム部の外周縁に均等間隔に設けてもよい。隣接した袴部５３ａが重なり合うと、スムーズな動きができないためである。例えば、ドーム中心に対して、１２０度間隔で３本や９０度間隔で４本備えても良い。
【００４６】
中央ドーム部５１は伏せた皿のように円周縁部が下方に湾曲して皿バネを形成し、一対の脚部５３は、中央部分に屈曲部５３’を備え、この屈曲部５３’から脚部５３先端に向かってスイッチ基板６３に対してほぼ平行又は平行に近い緩やかな勾配を有する板バネとなる。
【００４７】
この可動接点５０は、図４や図８と同様に、スイッチボックス６１の筐体内に配置され、スイッチボックス６１に配置された可動接点５０の中央ドーム部５１を押圧する押圧ボタン６２によって押圧されるように構成されることにより高ストロークドームスイッチ６０を構成する。スイッチボックス６１の床面のスイッチ基板６３の予め定められた位置には、コモン接点６４と、固定接点６５とが配置されている。コモン接点６４は脚部５３の一方の屈曲部５３’の直下に配され、このコモン接点６４と接触する屈曲部５３’がコモン用接点部となる。固定接点６５は中央ドーム部５１の中央部に配されている。
【００４８】
尚、図４や図８と同様に、連結部５２の直下のスイッチ基板６３に溝６６を形成しても良い。これにより、皿バネである中央ドーム部５１の反転と共に連結部５２がスイッチ基板６３に当たって発生する衝撃が無くなり、互いに強打する連結部５２とスイッチ基板６３との疲労が低減することになる。
【００４９】
押圧ボタン６２により中央ドーム部５１を上から少し押し下げた状態では、板バネとなる脚部５３の両端縁部は先端方向に滑りながら撓んで、屈曲部５３’がスイッチ基板６３に接触する。更に押し下げると、スイッチ基板６３に接触した曲折部５３’が撓んで滑るため、基板６３面を削って磨耗粉が出ることが少ない利点や中央ドーム部５１の反転による衝撃でのチャッタリングが生じ難くなる利点もある。
【００５０】
以降の本実施例の動作は図１、図６に示した実施例の動作と同様に、中央ドーム部５１を更に押し下げた状態では、中央ドーム部５１の皿バネが反転して大きなクリック感と共に固定接点６５に中央ドーム部５１に配されたスイッチ接点部５５が接する。コモン接点６４と固定接点６５とが電気的に導通することにより、回路が形成される。
【００５１】
尚、中央ドーム部５１が反転する前に、スイッチボックス６１の側壁に袴部５３ａが当たって、更に中央ドーム部５１を押し下げた際に中央ドーム部５１が反転するようにスイッチボックス６１と脚部５３及び袴部５３ａの長さを定めておくと、脚部５３及び袴部５３ａとの境界の撓みが板バネとなって、ドーム部５１の反転を復帰する力をドーム部５１に与えることになり、ドーム部５１が反転したまま復帰しなくなることを防ぐことができる。
【００５２】
また、本実施例では、コモン接点６４の位置は、図９及び図１０に示す通り、屈曲部５３’の直下に配置しているが、別の態様として、中央ドーム部５１の円周縁部の一部と接する部分や脚部の先端部と接する部分に配置しても良い。
【図面の簡単な説明】
【００５３】
【図１】本発明の高ストロークドームスイッチを構成する可動接点の一実施例の構成を示す平面図である。
【図２】図１の正面図である。
【図３】図１のＡ−Ａ断面図である。
【図４】図１の可動接点を備えた高ストロークドームスイッチの構成を示す説明図である。
【図５】図１の高ストロークドームスイッチの可動接点の変形の状態を示す説明図である。
【図６】本発明の高ストロークドームスイッチを構成する可動接点の別の実施例の構成を示す平面図である。
【図７】図６の正面図である。
【図８】図６の可動接点を備えた高ストロークドームスイッチの構成を示す説明図である。
【図９】本発明の高ストロークドームスイッチを構成する可動接点の別の実施例の構成を示す平面図である。
【図１０】図９の可動接点を備えた高ストロークドームスイッチの構成を示す説明図である。
【符号の説明】
【００５４】
１０、  ３０  、  ５０…可動接点、
１１、  ３１  、  ５１…中央ドーム部、
１２、  ３２  、  ５２…連結部、
１３、  ３３  、  ５３…脚部、
３３ａ、  ５３ａ…袴部、
１４                  …コモン用接点部、
１５、  ３５      ５５…スイッチ接点部、
２０、  ４０      ６０…高ストロークドームスイッチ、
２１、  ４１      ６１…スイッチボックス、
２２、  ４２      ６２…押圧ボタン、
２３、  ４３  、  ６３…スイッチ基板、
２４、  ４４      ６４…コモン接点、
２４’、４４’        …コモン接点、
２４”、４４”        …コモン接点、
２５、  ４５      ６５…固定接点、
２６、  ４６      ６６…溝、
【図１】
2009266394.tif 000003
【図２】
2009266394.tif 000004
【図３】
2009266394.tif 000005
【図４】
2009266394.tif 000006
【図５】
2009266394.tif 000007
【図６】
2009266394.tif 000008
【図７】
2009266394.tif 000009
【図８】
2009266394.tif 000010
【図９】
2009266394.tif 000011
【図１０】
2009266394.tif 000012